(57)【要約】【課題】画像の形成のスループットを向上させることができるようにする。【解決手段】画像情報から画像データを抽出する抽出処理手段と、画像データと管理情報とを対応させて記録するための記憶装置と、抽出された画像データと記録された画像データとを比較し、各画像データが同一であるかどうかを判断する同一画像判定処理手段と、各画像データが同一である場合、抽出された画像データを、記録された画像データに対応させて管理情報に置き換えて記憶装置に記録し、各画像データが同一ではない場合、抽出された画像データを新たな管理情報に対応させて記憶装置に記録する記録処理手段と、複数回使用された画像データについては管理情報を出力し、単独で使用された画像データについては送信データを出力する出力処理手段とを有する。各画像データが同一である場合、管理情報が記録されるので、画像処理のデータの送信効率を高くすることができる。【選択図】図１
2009026263.tif 000002
【特許請求の範囲】
【請求項１】
受信した画像情報を処理する画像処理装置において、
（ａ）前記画像情報から画像データを抽出する抽出処理手段と、
（ｂ）前記画像データと管理情報とを対応させて記録するための記憶装置と、
（ｃ）前記抽出処理手段によって抽出された画像データと、前記記憶装置に記録された画像データとを比較し、各画像データが同一であるかどうかを判断する同一画像判定処理手段と、
（ｄ）前記各画像データが同一である場合、前記抽出処理手段によって抽出された画像データを、前記記憶装置に記録された画像データに対応させて管理情報に置き換えて記憶装置に記録し、各画像データが同一ではない場合、前記抽出処理手段によって抽出された画像データを新たな管理情報に対応させて記憶装置に記録する記録処理手段と、
（ｅ）複数回使用された画像データについては管理情報を出力し、単独で使用された画像データについては送信データを出力する出力処理手段とを有することを特徴とする画像処理装置。
【請求項２】
前記記憶装置に記録された画像データ及び管理情報を下位装置に送信する送信処理手段を有する請求項１に記載の画像処理装置。
【請求項３】
前記各画像データが同一である場合、前記抽出処理手段によって抽出された画像データを削除する画像レコード削除処理手段を有する請求項１に記載の画像処理装置。
【発明の詳細な説明】
【技術分野】
【０００１】
本発明は、画像処理装置に関するものである。
【背景技術】
【０００２】
従来、第１の画像処理装置であるパソコンを上位装置とし、第２の画像処理装置であるプリンタ、複写機、ファクシミリ、複合機等の画像形成装置、例えば、プリンタを下位装置として接続することによって構成された画像処理システムにおいては、パソコンのアプリケーションを使用して、画像の形成、すなわち、印刷を行うようになっている。そして、前記画像処理システムにおいては、パソコンで作成される画像処理のデータ、すなわち、印刷データ内に複数の同一の画像データ、例えば、イメージデータが作成されることがある。例えば、複数のページにわたる印刷ジョブにおいて、各ページに同じ下地画像が形成される場合、各下地画像ごとに同一のイメージデータが作成され、印刷データ内に挿入され、印刷データがプリンタに送信される。
【０００３】
そして、プリンタにおいて、印刷データを受信すると、該印刷データについて処理を行うことによって印刷が行われる（例えば、特許文献１参照。）。
【特許文献１】特開平７−２５３８６２号公報
【発明の開示】
【発明が解決しようとする課題】
【０００４】
しかしながら、前記従来の画像処理システムにおいては、前述されたように、各ページに同じ下地画像が形成される場合、同一のイメージデータが挿入された印刷データがプリンタに繰り返し送信されることになるが、データサイズにおいて下地画像のイメージデータが印刷データの全体のうちの大半を占めることがあり、その場合、印刷データの送信効率が低くなってしまい、印刷のスループットが低下してしまう。
【０００５】
本発明は、前記従来の画像処理システムの問題点を解決して、画像の形成のスループットを向上させることができる画像処理装置を提供することを目的とする。
【課題を解決するための手段】
【０００６】
そのために、本発明の画像処理装置においては、受信した画像情報を処理するようになっている。
【０００７】
そして、前記画像情報から画像データを抽出する抽出処理手段と、前記画像データと管理情報とを対応させて記録するための記憶装置と、前記抽出処理手段によって抽出された画像データと、前記記憶装置に記録された画像データとを比較し、各画像データが同一であるかどうかを判断する同一画像判定処理手段と、前記各画像データが同一である場合、前記抽出処理手段によって抽出された画像データを、前記記憶装置に記録された画像データに対応させて管理情報に置き換えて記憶装置に記録し、各画像データが同一ではない場合、前記抽出処理手段によって抽出された画像データを新たな管理情報に対応させて記憶装置に記録する記録処理手段と、複数回使用された画像データについては管理情報を出力し、単独で使用された画像データについては送信データを出力する出力処理手段とを有する。
【発明の効果】
【０００８】
本発明によれば、画像処理装置においては、受信した画像情報を処理するようになっている。
【０００９】
そして、前記画像情報から画像データを抽出する抽出処理手段と、前記画像データと管理情報とを対応させて記録するための記憶装置と、前記抽出処理手段によって抽出された画像データと、前記記憶装置に記録された画像データとを比較し、各画像データが同一であるかどうかを判断する同一画像判定処理手段と、前記各画像データが同一である場合、前記抽出処理手段によって抽出された画像データを、前記記憶装置に記録された画像データに対応させて管理情報に置き換えて記憶装置に記録し、各画像データが同一ではない場合、前記抽出処理手段によって抽出された画像データを新たな管理情報に対応させて記憶装置に記録する記録処理手段と、複数回使用された画像データについては管理情報を出力し、単独で使用された画像データについては送信データを出力する出力処理手段とを有する。
【００１０】
この場合、各画像データが同一である場合、管理情報が記録され、複数回使用された画像データに基づいて管理情報が出力され、単独で使用された画像データに基づいて送信データが出力される。
【００１１】
したがって、画像処理のデータの送信効率を高くすることができ、画像の形成のスループットを向上させることができる。
【発明を実施するための最良の形態】
【００１２】
以下、本発明の実施の形態について図面を参照しながら詳細に説明する。この場合、パソコンを第１の画像処理装置、かつ、上位装置とし、プリンタ、複写機、ファクシミリ、複合機等の画像形成装置、例えば、プリンタを第２の画像処理装置、かつ、下位装置として接続することによって構成され、パソコンのアプリケーションを使用することによって印刷を行うようにした画像処理システムについて説明する。
【００１３】
図１は本発明の第１の実施の形態における画像処理装置の概念図である。
【００１４】
図において、１１はパソコン、１９はプリンタであり、前記パソコン１１は、印刷を行うためのアプリケーション１２、ＯＳの描画モジュールであり、印刷時に呼び出される抽出処理手段としてのＧＤＩ（グラフィックデバイスインタフェース）１３、及び該ＧＤＩ１３によって呼び出されるプリンタドライバ１４を備える。また、該プリンタドライバ１４は画像描画部１５を備え、該画像描画部１５は、描画される画像データとしてのイメージデータが、以前に描画され、パソコン１１内の図示されない記憶装置に記録されたイメージデータと同じであるかどうかを判断する同一画像判定処理手段としての同一画像判定部１６、イメージデータを出力する画像出力処理手段としての画像出力部１７、及びイメージデータを、第１の管理情報としてのイメージデータＩＤに置き換えて出力する画像ＩＩＤ出力処理手段としての画像ＩＤ出力部１８によって構成される。なお、前記画像出力処理手段及びＩＤ出力処理手段によって出力処理手段が構成され、該出力処理手段は、出力処理を行い、複数回使用された画像データについてはイメージデータＩＤを出力し、単独で使用された画像データについてはイメージデータを出力する。
【００１５】
前記プリンタドライバ１４は、出力されたイメージデータ及びイメージデータＩＤに基づいて、イメージデータが挿入された印刷データを作成し、該印刷データをプリンタ１９に送信する。
【００１６】
次に、前記プリンタドライバ１４の動作について説明する。
【００１７】
図２は本発明の第１の実施の形態におけるプリンタドライバの動作を示すフローチャート、図３は本発明の第１の実施の形態におけるイメージデータが記録されたテーブルを示す図、図４は本発明の第１の実施の形態における同一画像判定処理のサブルーチンを示す図、図５は本発明の第１の実施の形態におけるプリンタに送信される印刷データの例を示す図である。
【００１８】
まず、画像データの印刷を行う場合、ＧＤＩ１３（図１）が呼び出され、該ＧＤＩ１３は、抽出処理を行い、アプリケーション１２によって作成された文書の画像情報から下地画像等の画像を構成するイメージデータを抽出する。そのために、ＧＤＩ１３の図示されないイメージデータ変換処理手段は、イメージデータ変換処理を行い、イメージデータ１〜ｎを作成し、プリンタドライバ１４を呼び出す。続いて、該プリンタドライバ１４は、画像描画部１５を呼び出す。
【００１９】
該画像描画部１５において、前記同一画像判定部１６は、同一画像判定処理を行い、ＧＤＩ１３から送られてくるイメージデータと、以前に送られてきたイメージデータとを比較し、イメージデータが同一であるかどうかを判断する。なお、パソコン１１内の図示されない記憶装置に、図３に示されるテーブルが形成され、該テーブルに、以前に送られてきたイメージデータが記録される。
【００２０】
図３において、イメージレコード数ｎは、テーブル内のイメージデータ１〜ｎの数、すなわち、ｎを表す。なお、イメージデータ１〜ｎは、ＧＤＩ１３から送られてきたイメージデータをビットマップ化したものであり、イメージデータＩＤ１〜ＩＤｎに対応させて記録される。該イメージデータＩＤ１〜ＩＤｎは、プリンタ１９にビットマップ化した状態で登録されるイメージデータを特定するためのＩＤ番号である。
【００２１】
また、前記テーブルには、各イメージデータ１〜ｎに対応させて、同一であると判断されたイメージデータが印刷に使用された回数（以下「使用回数」という。）ｋｉ（ｉ＝１、２、…、ｎ）が併せて記録される。該使用回数ｋｉによって第２の管理情報が構成される。
【００２２】
そして、前記同一画像判定部１６の図示されない比較処理手段は、比較処理を行い、判定回数用のカウント値ｃｔを零（０）にし、ＧＤＩ１３から送られてきたイメージデータとテーブル内の各イメージデータ１〜ｎとを、前記カウント値ｃｔに１ずつ加算（インクリメント）しながら逐次比較し、ＧＤＩ１３から送られてきたイメージデータとイメージデータ１〜ｎのうちの所定のイメージデータεとが同じである場合、前記同一画像判定部１６の図示されない判定処理手段は、判定処理を行い、イメージデータが同一であるとし、画像描画部１５の図示されない記録処理手段は、記録処理を行い、前記ＧＤＩ１３から送られてきたイメージデータを使用回数ｋεに置き換え、使用回数ｋεに１を加算し、テーブルに記録する。
【００２３】
一方、ＧＤＩ１３から送られてきたイメージデータと各イメージデータ１〜ｎとが異なり、カウント値ｃｔがｎになると、前記記録処理手段は、ＧＤＩ１３から送られてきたイメージデータを、イメージデータｎ＋１として新たにテーブルに記録する。このとき、イメージデータＩＤｎ＋１が付与され、使用回数ｋｎ＋１が１にされ、テーブルに記録される。また、イメージレコード数ｎはｎ＋１にされる。続いて、前記判定処理手段は、イメージデータが同一ではないとする。
【００２４】
このようにして、同一画像判定部１６によって各イメージデータが同一であるかどうかが判断される。
【００２５】
そして、前記画像出力部１７は、画像出力処理を行い、ＧＤＩ１３から送られてきたイメージデータｎ＋１を出力する。また、イメージデータが同一である場合、画像ＩＤ出力部１８は、画像ＩＤ出力処理を行い、イメージデータεのイメージデータＩＤεを出力する。
【００２６】
次に、画像描画部１５の図示されない登録データ作成処理手段は、登録データ作成処理を行い、ＧＤＩ１３から送られてきたすべてのイメージデータについて、イメージデータが同一であるかどうかの判定が終了したかどうかを判断し、判定が終了した場合、使用回数ｋが２以上のイメージデータについて、プリンタ１９にビットマップ化した状態でイメージデータＩＤと対応させて登録しておくための登録データを作成する。
【００２７】
続いて、プリンタドライバ１４の図示されない印刷データ作成処理手段は、印刷データ作成処理を行い、登録データ及び出力されたイメージデータｎ＋１に基づいて、イメージデータが挿入された印刷データを作成する。そして、プリンタドライバ１４の図示されない送信処理手段は、送信処理を行い、作成された印刷データをプリンタ１９に送信する。
【００２８】
なお、前記印刷データは、図５に示されるようなデータ構造を有し、登録データであることを表すデータ登録コマンドの次に、使用回数ｋが２以上のイメージデータ（図３のテーブルでは、イメージデータ２、…、イメージデータｎ）、及びイメージデータＩＤ（図３のテーブルでは、イメージデータＩＤ２、…、イメージデータＩＤｎ）から成る登録データが列挙され、その次に、各ページごとのデータが列挙される。図５においては、１ページ目のデータには、イメージデータ１及びイメージデータＩＤ２（ＩＤ２指定コマンド）が挿入され、２ページ目のデータには、イメージデータ３及びイメージデータＩＤ２（ＩＤ２指定コマンド）が挿入される。このように、イメージデータ２については、イメージデータＩＤ２だけが挿入される。
【００２９】
本実施の形態において、１回だけ単独で使用され、使用回数ｋが１であるイメージデータについては、パソコン１１からプリンタ１９にイメージデータが送られ、複数回使用され、使用回数ｋが２以上のイメージデータについては、パソコン１１からプリンタ１９にイメージデータが１回だけ送られ、イメージデータＩＤだけが送られるので、同一のイメージデータがプリンタ１９に繰り返し送信されるのを防止することができる。したがって、印刷データの送信効率を高くすることができ、印刷のスループットを向上させることができる。
【００３０】
次に、図２のフローチャートについて説明する。
ステップＳ１  イメージデータ変換処理を行う。
ステップＳ２  同一画像判定処理を行う。
ステップＳ３  イメージデータが同一であるかどうかを判断する。イメージデータが同一である場合はステップＳ４に、同一でない場合はステップＳ５に進む。
ステップＳ４  画像ＩＤ出力処理を行う。
ステップＳ５  画像出力処理を行う。
ステップＳ６  すべてのイメージデータについての判定が行われたかどうかを判断する。すべてのイメージデータについての判定が行われた場合はステップＳ７に進み、行われていない場合はステップＳ１に戻る。
ステップＳ７  使用回数ｋが２以上のイメージデータについて登録データを作成する。
ステップＳ８  印刷データを作成し、処理を終了する。
【００３１】
次に、図４のフローチャートについて説明する。
ステップＳ２−１  カウント値ｃｔを零にする。
ステップＳ２−２  カウント値ｃｔがｎになったかどうかを判断する。カウント値ｃｔがｎになった場合はステップＳ２−３に、なっていない場合はステップＳ２−４に進む。
ステップＳ２−３  イメージデータを新たにテーブルに記録する。
ステップＳ２−４  イメージデータが同一であるかどうかを判断する。イメージデータが同一である場合はステップＳ２−６に、同一でない場合はステップＳ２−７に進む。
ステップＳ２−５  イメージデータが同一ではないとし、リターンする。
ステップＳ２−６  イメージデータが同一であるとする。そして、使用回数ｋｉをインクリメントし、リターンする。
ステップＳ２−７  カウント値ｃｔをインクリメントし、ステップＳ２−２に戻る。
【００３２】
本実施の形態においては、パソコン１１において、使用回数ｋが２以上のイメージデータについて登録データを作成するようになっているが、登録データを作成することなく、ＧＤＩ１３から送られてきた各イメージデータにイメージデータＩＤを付与し、イメージデータ及びイメージデータＩＤをそれぞれ対応させて逐次プリンタ１９に送信することができる。その場合、プリンタ１９において、すべてのイメージデータをイメージデータＩＤと共に登録しておき、イメージデータが同一である場合、パソコン１１からプリンタ１９にイメージデータＩＤだけを送信することができる。
【００３３】
また、本実施の形態においては、イメージデータが同一であるかどうかの判断を、パソコン１１側において同一画像判定部１６によって行うようになっているが、パソコン１１からプリンタ１９にすべてのイメージデータをそのまま送信し、プリンタ１９側で、イメージデータが同一であるかどうかの判断を行うことができる。その場合、プリンタ１９において受信されたイメージデータをビットマップ化した状態でテーブルに登録しておき、同じイメージデータが受信されると、以前ビットマップ化されたイメージデータをそのまま使用して印刷を行うことができるので、印刷のスループットを向上させることができる。
【００３４】
次に、本発明の第２の実施の形態について説明する。なお、第１の実施の形態と同じ構造を有するものについては、同じ符号を付与し、同じ構造を有することによる発明の効果については同実施の形態の効果を援用する。
【００３５】
図６は本発明の第２の実施の形態における画像処理装置の概念図である。
【００３６】
図において、１３は画像情報から画像データとしての画像レコードを抽出する抽出処理手段としてのＧＤＩであり、該ＧＤＩ１３は、ＥＭＦファイル２１を作成する。そして、２２はプリントプロセッサであり、該プリントプロセッサ２２は、ＥＭＦファイル２１を読み込み、ＧＤＩ２８に描画情報を送る。
【００３７】
そのために、前記プリントプロセッサ２２において、ＥＭＦレコード解析部２３は、同一画像判定処理手段としての同一画像判定部２４、画像レコード削除処理手段としての画像レコード削除部２５及び画像ＩＤ情報ファイル編集部２６を備え、同一画像判定部２４は、同一画像判定処理を行い、ＥＭＦファイル２１から読み出された画像レコードと、以前に読み出された画像レコードとを比較し、画像レコードが同一であるかどうかを判断する。また、画像レコード削除部２５は、繰り返し読み出された画像レコードを消去し、画像ＩＤ情報ファイル編集部２６は、画像レコードが同一である場合に、画像ＩＤ情報ファイル２７を作成する。
【００３８】
そして、前記画像描画部１５は、イメージデータを出力する画像出力処理手段としての画像出力部１７、及びイメージデータを第１の管理情報としてのイメージデータＩＤに置き換えて出力する画像ＩＩＤ出力処理手段としての画像ＩＤ出力部１８によって構成される。
【００３９】
次に、前記ＥＭＦレコード解析部２３について説明する。
【００４０】
図７は本発明の第２の実施の形態におけるＥＭＦレコード解析部の動作を示すフローチャート、図８は本発明の第２の実施の形態における画像ＩＤ情報ファイルの構造を示す図である。
【００４１】
この場合、ＥＭＦレコード解析部２３（図６）において、同一画像判定部２４は、ＥＭＦファイル２１から画像レコードを読み込み、該画像レコードと以前の画像レコードとを比較し、画像レコードが同一であるかどうかを判断する。なお、パソコン１１内の図示されない記憶装置に、後述されるテーブル（図９）が形成され、該テーブルに以前に送られてきた画像レコードのイメージデータが記録される。
【００４２】
ところで、前記画像ＩＤ情報ファイル２７は、図８に示されるように、ヘッダ部及びデータ部によって構成され、ヘッダ部に画像レコード数Ｎが設定され、データ部に、レコード番号、ページ、画像データ情報及び画像レコードＩＤのフォーマットによる複数の画像レコードが設定される。なお、前記画像レコード数Ｎは、データ部に設定された画像レコードの数である。また、レコード番号は各画像レコードにシーケンシャルに割り付けられた番号を表し、ページはイメージデータが挿入されたページを表し、画像データ情報はイメージデータを特定するための描画命令及び描画領域の開始座標／終了座標によって構成される。そして、画像レコードＩＤは、各イメージデータに対応させて付与されたＩＤ番号を表す。
【００４３】
次に、画像レコードが同一ではない場合、画像ＩＤ情報ファイル編集部２６は、画像ＩＤ情報ファイル編集処理を行い、前記画像レコードについて画像ＩＤ情報ファイル２７を作成し、該画像ＩＤ情報ファイル２７に画像データ情報を登録し、画像レコードＩＤを登録する。
【００４４】
一方、画像レコードが同一である場合、画像ＩＤ情報ファイル編集部２６は、前記画像レコードについて、画像ＩＤ情報ファイル２７に画像レコードＩＤを登録する。この場合、画像データ情報の登録は行われない。また、画像レコード削除部２５は、画像レコード削除処理を行い、ＥＭＦファイル２１から今回の画像レコードを削除する。
【００４５】
したがって、各画像レコードにおいて、画像データ情報の項目が設定されているかどうかによって１回目の画像レコードであるか、２回目以降の画像レコードであるかを判断することができる。
【００４６】
続いて、ＥＭＦレコード解析部２３は、ＥＭＦファイル２１の各画像レコードをＧＤＩ２８を介してプリンタドライバ１４に送る。このように、画像レコードが同一である場合、以前の画像レコードだけがプリンタドライバ１４に送られるので、プリンタドライバ１４における画像描画処理を簡素化することができる。
【００４７】
次に、フローチャートについて説明する。
ステップＳ１１  ＥＭＦファイル２１を読み込む。
ステップＳ１２  同一画像判定処理を行う。
ステップＳ１３  画像レコードが同一であるかどうかを判断する。画像レコードが同一である場合はステップＳ１４に、同一でない場合はステップＳ１５に進む。
ステップＳ１４  画像ＩＤ情報ファイル２７に画像レコードＩＤを登録する。
ステップＳ１５  画像ＩＤ情報ファイル２７に画像データ情報を登録する。
ステップＳ１６  画像レコードを削除し、処理を終了する。
ステップＳ１７  画像ＩＤ情報ファイル２７に画像レコードＩＤを登録し、処理を終了する。
【００４８】
図９は本発明の第２の実施の形態におけるイメージデータが記録されたテーブルを示す図、図１０は本発明の第２の実施の形態における同一画像判定処理のサブルーチンを示す図である。
【００４９】
前記同一画像判定部２４（図６）の図示されない比較処理手段は、比較処理を行い、判定回数用のカウント値ｃｐを零（０）にし、ＥＭＦファイル２１から読み出した画像レコードと、以前に読み出した画像レコードとを、前記カウント値ｃｐに１ずつ加算しながら逐次比較し、ＥＭＦファイル２１から読み出した画像レコードと以前に読み出した画像レコードのうちの所定の画像レコードとが同じである場合、前記同一画像判定部２４の図示されない判定処理手段は、判定処理を行い、画像レコードが同一であるとする。
【００５０】
一方、ＥＭＦファイル２１から読み出した画像レコードと以前に読み出した画像レコードとが異なり、カウント値ｃｐがＮになると、前記判定処理手段は、画像レコードが同一ではないとする。
【００５１】
そして、ＥＭＦファイル２１から各画像レコードが送られてくると、画像描画部１５の図示されない記録処理手段は、記録処理を行い、各画像レコードのイメージデータ１〜ｎ、及び該イメージデータ１〜ｎに対応するイメージデータＩＤ１〜ＩＤｎをプリンタドライバ１４内の図示されない記憶装置に形成された図９のテーブルに、互いに対応させて記録する。
【００５２】
図９において、イメージレコード数ｎは、テーブル内のイメージデータ１〜ｎの数、すなわち、ｎを表す。なお、イメージデータＩＤ１〜ＩＤｎは、イメージデータ１〜ｎを特定するためのＩＤ番号である。
【００５３】
続いて、前記画像出力部１７は、イメージデータ１〜ｎを出力し、画像ＩＤ出力部１８は、イメージデータ１〜ｎのイメージデータＩＤ１〜ＩＤｎを出力する。
【００５４】
このように、本実施の形態においては、ＥＭＦファイル２１の段階で、画像レコードが同一である場合に画像レコードを削除することができるので、プリンタドライバ１４の処理を簡素化することができる。また、同一のイメージデータがプリンタ１９に繰り返し送信されるのを防止することができるので、印刷データの送信効率を高くすることができ、印刷のスループットを向上させることができる。
【００５５】
次に、フローチャートについて説明する。
ステップＳ１２−１  カウント値ｃｐを零にする。
ステップＳ１２−２  カウント値ｃｐがＮになったかどうかを判断する。カウント値ｃｐがＮになった場合はステップＳ１２−３に、なっていない場合はステップＳ１２−４に進む。
ステップＳ１２−３  画像レコードが同一ではないとし、リターンする。
ステップＳ１２−４  画像データ情報が同一であるかどうかを判断する。画像データ情報が同一である場合はステップＳ１２−５に、同一でない場合はステップＳ１２−６に進む。
ステップＳ１２−５  画像レコードが同一であるとし、リターンする。
ステップＳ１２−６  カウント値ｃｐをインクリメントし、ステップＳ１２−２に戻る。
【００５６】
なお、本発明は前記各実施の形態に限定されるものではなく、本発明の趣旨に基づいて種々変形させることが可能であり、それらを本発明の範囲から排除するものではない。
【図面の簡単な説明】
【００５７】
【図１】本発明の第１の実施の形態における画像処理装置の概念図である。
【図２】本発明の第１の実施の形態におけるプリンタドライバの動作を示すフローチャートである。
【図３】本発明の第１の実施の形態におけるイメージデータが記録されたテーブルを示す図である。
【図４】本発明の第１の実施の形態における同一画像判定処理のサブルーチンを示す図である。
【図５】本発明の第１の実施の形態におけるプリンタに送信される印刷データの例を示す図である。
【図６】本発明の第２の実施の形態における画像処理装置の概念図である。
【図７】本発明の第２の実施の形態におけるＥＭＦレコード解析部の動作を示すフローチャートである。
【図８】本発明の第２の実施の形態における画像ＩＤ情報ファイルの構造を示す図である。
【図９】本発明の第２の実施の形態におけるイメージデータが記録されたテーブルを示す図である。
【図１０】本発明の第２の実施の形態における同一画像判定処理のサブルーチンを示す図である。
【符号の説明】
【００５８】
１１    パソコン
１３    ＧＤＩ
１４    プリンタドライバ
１５    画像描画部
１６、２４    同一画像判定部
１９    プリンタ
２５    画像レコード削除部
【図１】
2009026263.tif 000003
【図２】
2009026263.tif 000004
【図３】
2009026263.tif 000005
【図４】
2009026263.tif 000006
【図５】
2009026263.tif 000007
【図６】
2009026263.tif 000008
【図７】
2009026263.tif 000009
【図８】
2009026263.tif 000010
【図９】
2009026263.tif 000011
【図１０】
2009026263.tif 000012